(57)【要約】【課題】ＣＤＭＡ／ＷＣＤＭＡ基盤移動通信システム用デジタル伝送中継器において、デジタル復調ステップ及びデジタル変調ステップを通じて、伝送に要する帯域幅を減らし、伝送効率を高めることができ、また、入力信号に関係なく、低い拡散係数を用いることにより、復調に必要な時間を減らすことができるデジタル伝送中継器、及び該中継器を利用した信号伝送方法を提供する。【解決手段】本発明のデジタル伝送中継器は、受信したアナログ信号をデジタル信号に変換し、デジタル変換された信号をデジタルデータに復調し、復調されたデジタルデータを伝送し、伝送されたデジタルデータをデジタル信号に変調し、変調されたデジタル信号をアナログ信号に変換する。【選択図】  図３ａ
2011082948.tif 000002
【特許請求の範囲】
【請求項１】
基地局と端末機間の送／受信信号を中継するデジタル伝送中継器であって、
ドナーユニットとリモートユニットを含み、
前記ドナーユニットが、
基地局から受信された下り信号をデジタル下りデータに復調し、前記リモートユニットに送信し、
前記リモートユニットから受信されたデジタル上りデータを上り信号に変調し、
基地局に送信するように構成され、
前記リモートユニットが、
端末機から受信された上り信号をデジタル上りデータに復調し、前記ドナーユニットに送信し、
前記ドナーユニットから受信されたデジタル下りデータを下り信号に変調し、
端末機に送信するように構成され、
前記ドナーユニット及び前記リモートユニットが、
受信信号の拡散に用いられた拡散係数と同じか、またはさらに低い拡散係数を用いる、デジタル伝送中継器。
【請求項２】
前記ドナーユニットが、
基地局から受信された高周波下り信号を低周波下り信号に変換する第１の下り変換部；
前記第１の下り変換部により変換された低周波下り信号をデジタル下り信号に変換する第１のデジタル変換部；
前記第１のデジタル変換部により変換されたデジタル下り信号をデジタル下りデータに復調する第１のデジタル復調部；
前記第１のデジタル復調部により復調されたデジタル下りデータを前記リモートユニットに送信し、前記リモートユニットからデジタル上りデータを受信する第１の送受信部；
前記第１の送受信部において受信されたデジタル上りデータをデジタル上り信号に変調する第１のデジタル変調部；
前記第１のデジタル変調部において変調されたデジタル上り信号をアナログ上り信号に変換する第１のアナログ変換部；及び
前記第１のアナログ変換部により変換されたアナログ上り信号を高周波上り信号に変換する第１の上り変換部を含み、
前記リモートユニットが、
端末機から受信された高周波上り信号を低周波上り信号に変換する第２の下り変換部；
前記第２の下り変換部により変換された低周波上り信号をデジタル上り信号に変換する第２のデジタル変換部；
前記第２のデジタル変換部により変換されたデジタル上り信号をデジタル上りデータに復調する第２のデジタル復調部；
前記第２のデジタル復調部により復調されたデジタル上りデータを前記ドナーユニットに送信し、前記ドナーユニットからデジタル下りデータを受信する第２の送受信部；
前記第２の送受信部において受信されたデジタル下りデータをデジタル下り信号に変調する第２のデジタル変調部；
前記第２のデジタル変調部において変調されたデジタル下り信号をアナログ下り信号に変換する第２のアナログ変換部；及び
前記第２のアナログ変換部により変換されたアナログ下り信号を高周波下り信号に変換する第２の上り変換部を含み、
前記第１及び第２のデジタル復調部及び前記第１及び第２のデジタル変調部が、
受信信号の拡散に用いられた拡散係数と同じか、またはさらに低い拡散係数を用いる、請求項１に記載のデジタル伝送中継器。
【請求項３】
前記ドナーユニットが、
基地局から下り信号を受信し、上り信号を基地局に送信するドナーアンテナ；及び
前記ドナーアンテナに接続され、下り信号と上り信号を分離する第１のアンテナ共用器をさらに含み、
前記リモートユニットが、
端末機から上り信号を受信し、下り信号を端末機に送信するリモートアンテナ；及び
前記リモートアンテナに接続され、下り信号と上り信号を分離する第２のアンテナ共用器をさらに含む、請求項２に記載のデジタル伝送中継器。
【請求項４】
前記ドナーユニットが、
基地局から下り信号を受信する第１の受信アンテナ；及び
上り信号を基地局に送信する第１の送信アンテナをさらに含み、
前記リモートユニットが、
端末機から上り信号を受信する第２の受信アンテナ；及び
下り信号を端末機に送信する第２の送信アンテナをさらに含む、請求項２に記載のデジタル伝送中継器。
【請求項５】
前記ドナーユニットが基地局と有線で接続される、請求項２に記載のデジタル伝送中継器。
【請求項６】
前記リモートユニットが、
端末機から上り信号を受信する第２の受信アンテナ；及び
下り信号を端末機に送信する第２の送信アンテナをさらに含む、請求項５に記載のデジタル伝送中継器。
【請求項７】
前記リモートユニットが、
端末機から上り信号を受信し、下り信号を端末機に送信するリモートアンテナ；及び
前記リモートアンテナに接続され、下り信号と上り信号を分離する第２のアンテナ共用器をさらに含む、請求項５に記載のデジタル伝送中継器。
【請求項８】
前記ドナーユニットが、複数のリモートユニットに接続され、
前記第１及び第２の送受信部が、前記ドナーユニットと複数のリモートユニット間の接続を支援するように構成される、請求項２〜７のいずれか一項に記載のデジタル伝送中継器。
【請求項９】
前記ドナーユニットが、複数のリモートユニットと階段式に接続され、
前記第１及び第２の送受信部が、前記ドナーユニットと複数のリモートユニット間の階段式接続を支援するように構成される、請求項２〜７のいずれか一項に記載のデジタル伝送中継器。
【請求項１０】
１つのドナーユニットと複数のリモートユニット間のデータ送受信を処理する分配ユニットをさらに含み、
前記ドナーユニットが、１つ以上の分配ユニットに接続され、
前記分配ユニットが、複数のリモートユニットに接続される、請求項２〜７のいずれか一項に記載のデジタル伝送中継器。
【請求項１１】
基地局と端末機間の送／受信信号を中継する、ドナーユニット及びリモートユニットを含むデジタル伝送中継器における伝送方法であって、
ドナーユニットにおいて受信された基地局からの高周波下り信号を、リモートユニットから端末機に送信するための高周波下り信号に変換するステップ；及び
リモートユニットにおいて受信された端末機からの高周波上り信号を、ドナーユニットから基地局に送信するための高周波上り信号に変換するステップを含み、
ドナーユニットにおいて受信された前記基地局からの高周波下り信号を、リモートユニットから端末機に送信するための高周波下り信号に変換するステップが、
第１の下り変換部を利用し、ドナーユニットにおいて受信された基地局からの高周波下り信号を低周波下り信号に変換するステップ；
第１のデジタル変換部を利用し、前記低周波下り信号をデジタル下り信号に変換するステップ；
第１のデジタル復調部を利用し、前記デジタル下り信号をデジタル下りデータに復調するステップ；
第１の送受信部を利用し、前記デジタル下りデータを前記リモートユニットに送信するステップ；
第２の送受信部を利用し、前記デジタル下りデータを前記リモートユニットにおいて受信するステップ；
第２のデジタル変調部を利用し、受信された前記デジタル下りデータをデジタル下り信号に変調するステップ；
第２のアナログ変調部を利用し、前記デジタル下り信号をアナログ下り信号に変換するステップ；及び
第２の上り変調部を利用し、前記アナログ下り信号を高周波下り信号に変換するステップを含み、
リモートユニットにおいて受信された前記端末機からの高周波上り信号を、ドナーユニットから基地局に送信するための高周波上り信号に変換するステップが、
第２の下り変調部を利用し、リモートユニットにおいて受信された端末機からの高周波上り信号を低周波上り信号に変換するステップ；
第２のデジタル変調部を利用し、前記低周波上り信号をデジタル上り信号に変換するステップ；
第２のデジタル復調部を利用し、前記デジタル上り信号をデジタル上りデータに復調するステップ；
第２の送受信部を利用し、前記デジタル上りデータを前記ドナーユニットに送信するステップ；
第１の送受信部を利用し、前記デジタル上りデータを前記ドナーユニットにおいて受信するステップ；
第１のデジタル変調部を利用し、受信された前記デジタル上りデータをデジタル上り信号に変調するステップ；
第１のアナログ変調部を利用し、前記デジタル上り信号をアナログ上り信号に変換するステップ；及び
第１の上り変調部を利用し、前記アナログ上り信号を高周波上り信号に変換するステップを含み、
前記第１及び第２のデジタル復調部及び前記第１及び第２のデジタル変調部が、
受信信号の拡散に用いられた拡散係数と同じか、またはさらに低い拡散係数を用いる、デジタル伝送中継器における伝送方法。
【請求項１２】
ドナーユニットにおいて受信された前記基地局からの高周波下り信号を、リモートユニットから端末機に送信するための高周波下り信号に変換するステップの前に、ドナーアンテナを利用し、基地局から下り信号を受信するステップ；
ドナーユニットにおいて受信された前記基地局からの高周波下り信号を、リモートユニットから端末機に送信するための高周波下り信号に変換するステップの後に、リモートアンテナを利用し、下り信号を端末機に送信するステップ；
リモートユニットにおいて受信された前記端末機からの高周波上り信号を、ドナーユニットから基地局に送信するための高周波上り信号に変換するステップの前に、前記リモートアンテナを利用し、端末機から上り信号を受信するステップ；及び
リモートユニットにおいて受信された前記端末機からの高周波上り信号を、ドナーユニットから基地局に送信するための高周波上り信号に変換するステップの後に、前記ドナーアンテナを利用し、基地局に上り信号を送信するステップをさらに含み、
前記ドナーアンテナに接続される第１のアンテナ共用器が、下り信号と上り信号を分離するように構成され、
前記リモートアンテナに接続される第２のアンテナ共用器が、下り信号と上り信号を分離するように構成される、請求項１１に記載のデジタル伝送中継器における伝送方法。
【請求項１３】
ドナーユニットにおいて受信された前記基地局からの高周波下り信号を、リモートユニットから端末機に送信するための高周波下り信号に変換するステップの前に、第１の受信アンテナを利用し、基地局から下り信号を受信するステップ；
ドナーユニットにおいて受信された前記基地局からの高周波下り信号を、リモートユニットから端末機に送信するための高周波下り信号に変換するステップの後に、第２の送信アンテナを利用し、端末機に下り信号を送信するステップ；
リモートユニットにおいて受信された前記端末機からの高周波上り信号を、ドナーユニットから基地局に送信するための高周波上り信号に変換するステップの前に、第２の受信アンテナを利用し、端末機から上り信号を受信するステップ；及び
リモートユニットにおいて受信された前記端末機からの高周波上り信号を、ドナーユニットから基地局に送信するための高周波上り信号に変換するステップの後に、第１の送信アンテナを利用し、基地局に上り信号を送信するステップをさらに含む、請求項１１に記載のデジタル伝送中継器における伝送方法。
【請求項１４】
前記ドナーユニットが基地局と有線で接続される、請求項１１に記載のデジタル伝送中継器における伝送方法。
【請求項１５】
リモートユニットにおいて受信された前記端末機からの高周波上り信号を、ドナーユニットから基地局に送信するための高周波上り信号に変換するステップの前に、第２の受信アンテナを利用し、端末機から上り信号を受信するステップ；及び
ドナーユニットにおいて受信された前記基地局からの高周波下り信号を、リモートユニットから端末機に送信するための高周波下り信号に変換するステップの後に、第２の送信アンテナを利用し、端末機に下り信号を送信するステップをさらに含む、請求項１４に記載のデジタル伝送中継器における伝送方法。
【請求項１６】
ドナーユニットにおいて受信された前記基地局からの高周波下り信号を、リモートユニットから端末機に送信するための高周波下り信号に変換するステップの後に、リモートアンテナを利用し、下り信号を端末機に送信するステップ；及び
リモートユニットにおいて受信された前記端末機からの高周波上り信号を、ドナーユニットから基地局に送信するための高周波上り信号に変換するステップの前に、前記リモートアンテナを利用し、端末機から上り信号を受信するステップをさらに含み、
前記リモートアンテナに接続される第２のアンテナ共用器は、下り信号と上り信号を分離するように構成する、請求項１４に記載のデジタル伝送中継器における伝送方法。
【請求項１７】
前記ドナーユニットが、複数のリモートユニットに接続され、
前記第１及び第２の送受信部が、前記ドナーユニットと複数のリモートユニット間の接続を支援するように構成される、請求項１１〜１６のいずれか一項に記載のデジタル伝送中継器における伝送方法。
【請求項１８】
前記ドナーユニットが、複数のリモートユニットと階段式に接続され、
前記第１及び第２の送受信部は、前記ドナーユニットと複数のリモートユニット間の階段式接続を支援するように構成される、請求項１１〜１６のいずれか一項に記載のデジタル伝送中継器における伝送方法。
【請求項１９】
基地局と端末機間の送／受信信号を中継するデジタル伝送中継器であって、
ドナーユニットとリモートユニットを含み、
前記ドナーユニットが、
基地局から受信された下り信号をデジタル下りデータに復調し、前記リモートユニットに送信するように構成され、
前記リモートユニットが、
前記ドナーユニットから受信されたデジタル下りデータを下り信号に変調し、端末機に送信するように構成され、
前記ドナーユニット及び前記リモートユニットが、
受信信号の拡散に用いられた拡散係数と同じか、またはさらに低い拡散係数を用いる、デジタル伝送中継器。
【請求項２０】
前記ドナーユニットが、
基地局から受信された高周波下り信号を低周波下り信号に変換する第１の下り変換部；
前記第１の下り変換部により変換された低周波下り信号をデジタル下り信号に変換する第１のデジタル変換部；
前記第１のデジタル変換部により変換されたデジタル下り信号をデジタル下りデータに復調する第１のデジタル復調部；
前記第１のデジタル復調部により復調されたデジタル下りデータを前記リモートユニットに送信する第１の送受信部を含み、
前記リモートユニットが、
前記ドナーユニットからデジタル下りデータを受信する第２の送受信部；
前記第２の送受信部において受信されたデジタル下りデータをデジタル下り信号に変調する第２のデジタル変調部；
前記第２のデジタル変調部において変調されたデジタル下り信号をアナログ下り信号に変換する第２のアナログ変換部；及び
前記第２のアナログ変換部により変換されたアナログ下り信号を高周波下り信号に変換する第２の上り変換部を含む、請求項１９に記載のデジタル伝送中継器。
【請求項２１】
基地局と端末機間の送／受信信号を中継するデジタル伝送中継器であって、
ドナーユニットとリモートユニットを含み、
前記リモートユニットが、
端末機から受信された上り信号をデジタル上りデータに復調し、前記ドナーユニットに送信するように構成され、
前記ドナーユニットが、
前記リモートユニットから受信されたデジタル上りデータを上り信号に変調し、基地局に送信するように構成され、
前記ドナーユニット及び前記リモートユニットが、
受信信号の拡散に用いられた拡散係数と同じか、またはさらに低い拡散係数を用いる、デジタル伝送中継器。
【請求項２２】
前記リモートユニットが、
端末機から受信された高周波上り信号を低周波上り信号に変換する第２の下り変換部；
前記第２の下り変換部により変換された低周波上り信号をデジタル上り信号に変換する第２のデジタル変換部；
前記第２のデジタル変換部により変換されたデジタル上り信号をデジタル上りデータに復調する第２のデジタル復調部；
前記第２のデジタル復調部により復調されたデジタル上りデータを前記ドナーユニットに送信する第２の送受信部を含み、
前記ドナーユニットが、
前記リモートユニットからデジタル上りデータを受信する第１の送受信部；
前記第１の送受信部において受信されたデジタル上りデータをデジタル上り信号に変調する第１のデジタル変調部；
前記第１のデジタル変調部において変調されたデジタル上り信号をアナログ上り信号に変換する第１のアナログ変換部；及び
前記第１のアナログ変換部により変換されたアナログ上り信号を高周波上り信号に変換する第１の上り変換部を含む、請求項２１に記載のデジタル伝送中継器。
【発明の詳細な説明】
【技術分野】
【０００１】
本発明は、ＣＤＭＡ／ＷＣＤＭＡ基盤移動通信システム用デジタル伝送中継器及びデジタル伝送中継器における伝送方法に関し、特に伝送に要する帯域幅と処理時間を減らし、伝送効率を高めるデジタル伝送中継器及びデジタル伝送中継器における伝送方法に関する。
【背景技術】
【０００２】
移動通信網を構築する際、経済性などを考慮し、それぞれのセルの最適な場所に基地局を配置するが、大型建物、坂、地下、山地などの障害物により信号が届かない陰影地域が多数発生することになる。そのため、移動通信システムにおける基地局のサービス領域を拡張したり、陰影地域を解消するために、中継器を設置し用いている。
【０００３】
このような中継器には、光中継器やインビルディング中継器などがあり、光中継器やインビルディング中継器は、基地局に接続されるドナーユニットと端末機に接続されるリモートユニットを含み、ドナーユニットとリモートユニットは有線回線で連結することができる。このようなドナーユニットとリモートユニットを含み、有線回線でこれらのユニットが連結される中継器を伝送中継器と呼ぶことができる。
【０００４】
このような伝送中継器は、伝送信号の特性によってアナログ伝送中継器とデジタル伝送中継器に分けることができるが、最近は、デジタル伝送中継器の使用が増える傾向にある。
【０００５】
図１は、従来の移動通信システムにおいて伝送中継器を用い、基地局のサービス領域を拡張する一例を示したものである。図１に示すように、基地局（１０１）は、所定のセル領域内でサービスを提供し、伝送中継器（１１０）を通じて陰影地域の端末機（１２０）とも通信が可能になる。以下において、下り信号（１３０）は、基地局から端末機への信号を指し、上り信号（１４０）は、端末機から基地局への信号を意味する。従来の伝送中継器（１１０）は、基地局（１０１）から下り信号（１３０）を受信し、上り信号（１４０）を基地局（１０１）に送信するドナーユニット（１１１）と、下り信号（１３０）を端末機（１２０）に送信し、端末機（１２０）から上り信号（１４０）を受信するリモートユニット（１１２）を含み、ドナーユニット（１１１）とリモートユニット（１１２）は有線回線で連結することができる。ここで端末機（１２０）は、セルラー電話機、ヘッドセット、個人携帯情報端末機（ＰＤＡ）などともなり得る。
【０００６】
図２は、従来のデジタル伝送中継器（２００）を概略的に示している。従来のデジタル伝送中継器（２００）は、大きくドナーユニット（２１０）とリモートユニット（２２０）を含む。
【０００７】
ドナーユニット（２１０）は、基地局から下り信号を受信し、上り信号を基地局に送信するドナーアンテナ（２１１）、受信された高周波下り信号を低周波下り信号に変換する下り変換部（２１３）、変換された低周波下り信号をデジタル下り信号に変換するデジタル変換部（２１４）、変換されたデジタル下り信号をリモートユニット（２２０）に送信し、リモートユニット（２２０）からデジタル上り信号を受信する送受信部（２１５）、送受信部（２１５）において受信されたデジタル上り信号をアナログ上り信号に変換するアナログ変換部（２１６）、変換されたアナログ上り信号を高周波上り信号に変換する上り変換部（２１７）及びドナーアンテナ（２１１）と連結されて下り信号と上り信号を分離するアンテナ共用器（２１２）を含む。
【０００８】
また、リモートユニット（２２０）は端末機から上り信号を受信し、下り信号を端末機に送出するリモートアンテナ（２２１）、受信された高周波上り信号を低周波上り信号に変換する下り変換部（２２３）、変換された低周波上り信号をデジタル上り信号に変換するデジタル変換部（２２４）、変換されたデジタル上り信号をドナーユニット（２１０）に送信し、ドナーユニット（２１０）からデジタル下り信号を受信する送受信部（２２５）、送受信部（２２５）において受信されたデジタル下り信号をアナログ下り信号に変換するアナログ変換部（２２６）、変換されたアナログ下り信号を高周波下り信号に変換する上り変換部（２２７）及び、リモートアンテナ（２２１）と連結されて下り信号と上り信号を分離するアンテナ共用器（２２２）を含む。
【０００９】
一般的に従来の伝送中継器を用いるＣＤＭＡ／ＷＣＤＭＡ基盤移動通信システムにおいては、伝送データの周波数スペクトラムを拡散する変調過程を経ることになるが、この過程で伝送信号の帯域幅が拡張されることになる。従来のデジタル伝送中継器においては、変調過程で帯域幅が拡張された下り信号と上り信号を単にデジタル変換して伝送するため、ドナーユニットとリモート間に高い帯域幅の伝送回線が要求され、そのため、光（ｏｐｔｉｃ）回線のような高価なものを用いなければならない問題点がある。
【発明の概要】
【発明が解決しようとする課題】
【００１０】
本発明の目的は、上記のような問題点を解決するためのものであって、本発明は、デジタル変換された下り及び上り信号をデジタルデータに復調するデジタル復調部と、送受信部において受信されたデジタルデータを変調し、デジタル下り及び上り信号を作るデジタル変調部を含むことにより、伝送に要する帯域幅を減らし、伝送効率を高める効果を提供する。
【００１１】
また、本発明は、上記デジタル復調部及びデジタル変調部が入力信号に関係なく、復調と変調に用いる拡散係数を調整することにより、伝送に要する帯域幅と処理時間を減らし、伝送効率を高める効果を提供する。
【課題を解決するための手段】
【００１２】
上記のような目的を達成するために、本発明の一実施形態によるデジタル伝送中継器は、ドナーユニットとリモートユニットを含むことを特徴とする。ドナーユニットは、基地局から受信された下り信号をデジタル下りデータに復調し、リモートユニットに送信し、リモートユニットから受信されたデジタル上りデータを上り信号に変調し、基地局に送信するように構成されることを特徴とする。リモートユニットは、端末機から受信された上り信号をデジタル上りデータに復調し、ドナーユニットに送信し、ドナーユニットから受信されたデジタル下りデータを下り信号に変調し、基地局に送信するように構成されることを特徴とする。
【００１３】
ドナーユニット及びリモートユニットは、受信信号の拡散に用いられた拡散係数と同じか、またはさらに低い拡散係数を用いることを特徴とする。
【００１４】
本発明の他の実施形態によるデジタル伝送中継器は、ドナーユニットとリモートユニットを含むことを特徴とする。ドナーユニットは、基地局から受信された高周波下り信号を低周波下り信号に変換する第１の下り変換部、第１の下り変換部により変換された低周波下り信号をデジタル下り信号に変換する第１のデジタル変換部、第１のデジタル変換部により変換されたデジタル下り信号をデジタル下りデータに復調する第１のデジタル復調部、第１のデジタル復調部により復調されたデジタル下りデータをリモートユニットに送信し、リモートユニットからデジタル上りデータを受信する第１の送受信部、第１の送受信部において受信されたデジタル上りデータをデジタル上り信号に変調する第１のデジタル変調部、第１のデジタル変調部において変調されたデジタル上り信号をアナログ上り信号に変換する第１のアナログ変換部及び第１のアナログ変換部により変換されたアナログ上り信号を高周波上り信号に変換する第１の上り変換部を含むことを特徴とする。リモートユニットは、端末機から受信された高周波上り信号を低周波上り信号に変換する第２の下り変換部、第２の下り変換部により変換された低周波上り信号をデジタル上り信号に変換する第２のデジタル変換部、第２のデジタル変換部により変換されたデジタル上り信号をデジタル上りデータに復調する第２のデジタル復調部、第２のデジタル復調部により復調されたデジタル上りデータをドナーユニットに送信し、ドナーユニットからデジタル下りデータを受信する第２の送受信部、第２の送受信部において受信されたデジタル下りデータをデジタル下り信号に変調する第２のデジタル変調部、第２のデジタル変調部において変調されたデジタル下り信号をアナログ下り信号に変換する第２のアナログ変換部及び第２のアナログ変換部により変換されたアナログ下り信号を高周波下り信号に変換する第２の上り変換部を含むことを特徴とする。第１及び第２のデジタル復調部並びに第１及び第２のデジタル変調部は、受信信号の拡散に用いられた拡散係数と同じか、またはさらに低い拡散係数を用いることをその特徴とする。
【００１５】
本発明のまた他の実施形態によるデジタル伝送中継器は、ドナーユニットが、基地局から下り信号を受信し、上り信号を基地局に送信するドナーアンテナ、及びドナーアンテナと接続されて下り信号と上り信号を分離する第１のアンテナ共用器をさらに含むことを特徴とし、リモートユニットが、端末機から上り信号を受信し、下り信号を端末機に送信するリモートアンテナ、及びリモートアンテナと接続されて下り信号と上り信号を分離する第２のアンテナ共用器をさらに含むことを特徴とする。
【００１６】
本発明のまた他の実施形態によるデジタル伝送中継器は、ドナーユニットが基地局から下り信号を受信する第１の受信アンテナ及び上り信号を基地局に送信する第１の送信アンテナをさらに含むことを特徴とし、リモートユニットが、端末機から上り信号を受信する第２の受信アンテナ及び下り信号を端末機に送信する第２の送信アンテナをさらに含むことを特徴とする。
【００１７】
本発明のまた他の実施形態によるデジタル伝送中継器は、ドナーユニットが基地局と有線で接続されることを特徴とする。この実施形態において、リモートユニットが端末機から上り信号を受信する第２の受信アンテナ及び下り信号を端末機に送信する第２の送信アンテナをさらに含むことを特徴とすることもでき、リモートユニットは端末機から上り信号を受信し、下り信号を端末機に送信するリモートアンテナ、及びリモートアンテナと接続されて下り信号と上り信号を分離する第２のアンテナ共用器をさらに含むことを特徴とすることもできる。
【００１８】
本発明のまた他の実施形態によるデジタル伝送中継器は、ドナーユニットが複数のリモートユニットと接続され、第１及び第２の送受信部はドナーユニットと複数のリモートユニット間の接続が可能であるように構成することを特徴とする。
【００１９】
本発明のまた他の実施形態によるデジタル伝送中継器は、ドナーユニットは複数のリモートユニットと階段式に接続され、第１及び第２の送受信部はドナーユニットと複数のリモートユニット間の階段式の接続が可能であるように構成することを特徴とする。
【００２０】
本発明のまた他の実施形態によるデジタル伝送中継器は、１つのドナーユニットと複数のリモートユニット間のデータの送受信を処理する分配ユニットをさらに含むことを特徴とし、ドナーユニットが、複数の分配ユニットと接続され、分配ユニットが、複数のリモートユニットと接続することを特徴とする。
【００２１】
上記のような目的を達成するために、本発明の一実施形態によるデジタル伝送中継器における伝送方法は、基地局からドナーユニットに受信された高周波下り信号をリモートユニットから端末機に送信するための高周波下り信号に変換するステップ及び端末機からリモートユニットに受信された高周波上り信号をドナーユニットから基地局に送信するための高周波上り信号に変換するステップを含むことを特徴とする。基地局からドナーユニットに受信された高周波下り信号をリモートユニットから端末機に送信するための高周波下り信号に変換するステップは、第１の下り変換部を利用し、基地局からドナーユニットに受信された高周波下り信号を低周波下り信号に変換するステップ、第１のデジタル変換部を利用し、低周波下り信号をデジタル下り信号に変換するステップ、第１のデジタル復調部を利用し、デジタル下り信号をデジタル下りデータに復調するステップ、第１の送受信部を利用し、デジタル下りデータをリモートユニットに送信するステップ、第２の送受信部を利用し、デジタル下りデータをリモートユニットにおいて受信するステップ、第２のデジタル変調部を利用し、受信されたデジタル下りデータをデジタル下り信号に変調するステップ、第２のアナログ変換部を利用し、デジタル下り信号をアナログ下り信号に変換するステップ、及び第２の上り変換部を利用し、アナログ下り信号を高周波下り信号に変換するステップを含むことを特徴とする。端末機からリモートユニットに受信された高周波上り信号をドナーユニットから基地局に送信するための高周波上り信号に変換するステップは、第２の下り変換部を利用し、端末機からリモートユニットに受信された高周波上り信号を低周波上り信号に変換するステップ、第２のデジタル変換部を利用し、低周波上り信号をデジタル上り信号に変換するステップ、第２のデジタル復調部を利用し、デジタル上り信号をデジタル上りデータに復調するステップ、第２の送受信部を利用し、デジタル上りデータをドナーユニットに送信するステップ、第１の送受信部を利用し、デジタル上りデータをドナーユニットにおいて受信するステップ、第１のデジタル変調部を利用し、受信されたデジタル上りデータをデジタル上り信号に変調するステップ、第１のアナログ変換部を利用し、デジタル上り信号をアナログ上り信号に変換するステップ及び、第１の上り変換部を利用し、アナログ上り信号を高周波上り信号に変換するステップを含むことを特徴とする。第１及び第２のデジタル復調部並びに第１及び第２のデジタル変調部は、受信信号の拡散に用いられた拡散係数と同じか、またはさらに低い拡散係数を用いることをその特徴とする。
【００２２】
本発明のまた他の実施形態によるデジタル伝送中継器における伝送方法は、基地局からドナーユニットに受信された高周波下り信号をリモートユニットから端末機に送信するための高周波下り信号に変換するステップの前に、ドナーアンテナを利用し、基地局から下り信号を受信するステップ、基地局からドナーユニットに受信された高周波下り信号をリモートユニットから端末機に送信するための高周波下り信号に変換するステップの後に、リモートアンテナを利用し、下り信号を端末機に送信するステップ、端末機からリモートユニットに受信された高周波上り信号をドナーユニットから基地局に送信するための高周波上り信号に変換するステップの前に、リモートアンテナを利用し、端末機から上り信号を受信するステップ及び端末機からリモートユニットに受信された高周波上り信号をドナーユニットから基地局に送信するための高周波上り信号に変換するステップの後に、ドナーアンテナを利用し、基地局に上り信号を送信するステップをさらに含み、ドナーアンテナに接続される第１のアンテナ共用器は、下り信号と上り信号を分離するように構成され、リモートアンテナに接続される第２のアンテナ共用器は、下り信号と上り信号を分離するように構成されることを特徴とする。
【００２３】
本発明のまた他の実施形態によるデジタル伝送中継器における伝送方法は、基地局からドナーユニットに受信された高周波下り信号をリモートユニットから端末機に送信するための高周波下り信号に変換するステップの前に、第１の受信アンテナを利用し、基地局から下り信号を受信するステップ、基地局からドナーユニットに受信された高周波下り信号をリモートユニットから端末機に送信するための高周波下り信号に変換するステップの後に、第２の送信アンテナを利用し、端末機に下り信号を送信するステップ、端末機からリモートユニットに受信された高周波上り信号をドナーユニットから基地局に送信するための高周波上り信号に変換するステップの前に、第２の受信アンテナを利用し、端末機から上り信号を受信するステップ及び端末機からリモートユニットに受信された高周波上り信号をドナーユニットから基地局に送信するための高周波上り信号に変換するステップの後に、第１の送信アンテナを利用し、基地局に上り信号を送信するステップをさらに含むことを特徴とする。
【００２４】
本発明のまた他の実施形態によるデジタル伝送中継器における伝送方法は、基地局からドナーユニットに受信された高周波下り信号をリモートユニットから端末機に送信するための高周波下り信号に変換するステップの前に、ドナーユニットは、基地局と有線で接続して下り信号を受信するステップ及び端末機からリモートユニットに受信された高周波上り信号をドナーユニットから基地局に送信するための高周波上り信号に変換するステップの後に、ドナーユニットは、基地局と有線で接続して上り信号を送信するステップをさらに含むことを特徴とする。
【００２５】
本発明のまた他の実施形態によるデジタル伝送中継器における伝送方法は、ドナーユニットは、複数のリモートユニットと接続され、第１及び第２の送受信部は、ドナーユニットと複数のリモートユニット間の接続が可能であるように構成することを特徴とする。
【００２６】
本発明のまた他の実施形態によるデジタル伝送中継器における伝送方法は、ドナーユニットは複数のリモートユニットと階段式に接続され、第１及び第２の送受信部はドナーユニットと複数のリモートユニット間の階段式の接続が可能であるように構成することを特徴とする。
【００２７】
本発明のまた他の実施形態によるデジタル伝送中継器における伝送方法は、分配ユニットを利用し、１つのドナーユニットと複数のリモートユニット間のデータの送受信を処理するステップをさらに含むことを特徴とし、ドナーユニットは、複数の分配ユニットと接続され、分配ユニットは、複数のリモートユニットと接続されることを特徴とする。
【発明の効果】
【００２８】
以上で説明した通り、本発明は、従来技術の問題点を解決するためのものであって、デジタル変換された信号をデジタルデータに復調し、データのサイズを減らして伝送することにより、伝送に要する帯域幅を減らし、伝送効率を高める効果を得る。
【００２９】
さらに、デジタル復調部及びデジタル変調部は、入力信号に関係なく、低い拡散係数を用いることをその特徴とし、復調と変調に用いる拡散係数を調節することにより、伝送に要する帯域幅と処理時間を減らし、伝送効率を高める効果を得る。
【図面の簡単な説明】
【００３０】
本発明の実施形態は、示された図面と関連づけられ、発明の概要においてさらに記述される。図面中の同一の符号は、同一図面および複数の図面において同一の部分を示す。本発明のみならず本発明の追加的な利点が、図面と関連して記載されている発明の概要を参照することで、最善に理解できる。
【００３１】
【図１】図１は、従来の移動通信システムにおいて伝送中継器を用いて基地局を拡張する概念図。
【図２】図２は、従来のデジタル伝送中継器の一般的な概念図。
【図３ａ】図３ａは、本発明の実施例によるＷＣＤＭＡデジタル伝送中継器の構成図。
【図３ｂ】図３ｂは、本発明の他の実施例によるＷＣＤＭＡデジタル伝送中継器の構成図。
【図４】図４は、本発明の実施例によるＷＣＤＭＡデジタル伝送中継器における下り信号の送受信と関連した動作過程を示すフロー図。
【図５】図５は、本発明の実施例によるＷＣＤＭＡデジタル伝送中継器における上り信号の送受信と関連した動作過程を示すフロー図。
【図６】図６は、１つのドナーユニットと複数のリモートユニットで構成するＷＣＤＭＡデジタル伝送中継器の構成図。
【図７】図７は、１つのドナーユニットと複数のリモートユニットが階段式に接続されるように構成されるＷＣＤＭＡデジタル伝送中継器の構成図。
【図８】図８は、１つのドナーユニットと複数のリモートユニット間のデータ送受信を処理する分配ユニットをさらに含むＷＣＤＭＡデジタル伝送中継器の構成図。
【発明を実施するための形態】
【００３２】
以下、本発明の実施例を図面に基づいて説明する。
【００３３】
本発明の実施例においては、ＷＣＤＭＡ移動通信システムを想定して説明しているが、本発明は、これに限るものではなく、ＣＤＭＡ基盤の移動通信システムに全て適用することができる。
【００３４】
図３ａは、本発明の一実施例によるＷＣＤＭＡデジタル伝送中継器（３００）の構成を示す。デジタル伝送中継器（３００）は、ドナーユニット（３１０）とリモートユニット（３３０）を含むことができる。
【００３５】
ドナーユニット（３１０）は、基地局から下り信号を受信し、上り信号を基地局に送出するドナーアンテナ（３１１）、受信された高周波下り信号を低周波下り信号に変換する下り変換部（３１３）、変換された低周波下り信号をデジタル下り信号に変換するデジタル変換部（３１４）、変換されたデジタル下り信号をデジタル下りデータに復調するデジタル復調部（３１５）、復調されたデジタル下りデータをリモートユニット（３３０）に送信し、リモートユニット（３３０）からデジタル上りデータを受信する送受信部（３１６）、送受信部（３１６）において受信されたデジタル上りデータを変調し、デジタル上り信号を作るデジタル変調部（３１７）、変調されたデジタル上り信号をアナログ上り信号に変換するアナログ変換部（３１８）、変換されたアナログ上り信号を高周波上り信号に変換する上り変換部（３１９）、及びドナーアンテナ（３１１）と接続されて下り信号と上り信号を分離するアンテナ共用器（３１２）で構成されることができる。
【００３６】
さらに、リモートユニット（３３０）は、端末機から上り信号を受信し、下り信号を端末機に送出するリモートアンテナ（３３１）、受信された高周波上り信号を低周波上り信号に変換する下り変換部（３３３）、変換された低周波上り信号をデジタル上り信号に変換するデジタル変換部（３３４）、変換されたデジタル上り信号をデジタル上りデータに復調するデジタル復調部（３３５）、復調されたデジタル上りデータをドナーユニット（３１０）に送信し、ドナーユニット（３１０）からデジタル下りデータを受信する送受信部（３３６）、送受信部（３３６）において受信されたデジタル下りデータを変調し、デジタル下り信号を作るデジタル変調部（３３７）、変調されたデジタル下り信号をアナログ下り信号に変換するアナログ変換部（３３８）、変換されたアナログ下り信号を高周波下り信号に変換する上り変換部（３３９）、及びリモートアンテナ（３３１）と接続されて下り信号と上り信号を分離するアンテナ共用器（３３２）で構成されることができる。
【００３７】
図３ｂは、本発明の他の実施例によるＷＣＤＭＡデジタル伝送中継器（３００’）の構成を示す。図３ｂのデジタル伝送中継器（３００’）におけるドナーユニット（３１０）は、図３ａのデジタル伝送中継器（３００）におけるドナーアンテナ（３１１）及びアンテナ共用器（３１２）の代わりに、基地局から下り信号を受信する受信アンテナ（３２１）及び上り信号を基地局に送信する送信アンテナ（３２２）で構成されることもできる。また、図３ｂのデジタル伝送中継器（３００’）におけるリモートユニット（３３０）は、図３ａのデジタル伝送中継器（３００）におけるリモートアンテナ（３３１）及びアンテナ共用器（３３２）の代わりに、端末機から上り信号を受信する受信アンテナ（３４１）及び下り信号を端末機に送信する送信アンテナ（３４２）で構成することもできる。
【００３８】
また、他の実施例において、図３ａのデジタル伝送中継器（３００）におけるドナーユニット（３１０）及び図３ｂのデジタル伝送中継器（３００）におけるドナーユニット（３１０）は、アンテナを利用し基地局に信号を送／受信せず、有線で接続されるように構成されることもできる。
【００３９】
以下においては、デジタル復調部（３１５、３３５）及びデジタル変調部（３１７、３３７）の動作原理をＷＣＤＭＡの帯域拡散及び逆拡散の原理を参照して詳細に説明する。
【００４０】
ＷＣＤＭＡシステムにおいて、一つのＦＡ（Ｆｒｅｑｕｅｎｃｙ  Ａｓｓｉｇｎｍｅｎｔ）の周波数帯域は５ＭＨｚである。この信号を伝送するために、デジタル変換部（３１４、３３４）においては、周波数帯域の２倍である１０ＭＨｚ以上の速度でＡ／Ｄ変換を行う。即ち、デジタル変換部（３１４、３３４）から出力される信号は、最低１０Ｍｓｐｓの速度を有する。
【００４１】
一方、ＷＣＤＭＡのチップレートが３．８４Ｍｃｐｓであるので、上記１０Ｍｓｐｓのデジタル信号には、この３．８４Ｍｃｐｓのデータが含まれている。
【００４２】
ＷＣＤＭＡの復調は、逆拡散の過程を経ることになるが、この過程でデータの速度は、拡散係数の分だけ低くなることになる。即ち、拡散係数２５６を用いて逆拡散する場合、復調されたチャンネルデータの速度は、３．８４Ｍｃｐｓ／２５６＝１５ｋｓｐｓになる。
【００４３】
従って、復調されたＷＣＤＭＡデータは、１５ｋｓｐｓの速度を有する複数個のチャンネルデータになる。
【００４４】
伝送されるＷＣＤＭＡ信号にＮ個のチャンネルが含まれているとすると、復調された総データは、Ｎ×１５ｋｓｐｓの速度を有し、Ｎの最大値は２５６であるので、伝送に要する最大速度は２５６×１５ｋｓｐｓ＝３．８４Ｍｓｐｓになる。また、最大２５６個のチャンネルが存在するため、必要な復調器の個数も２５６個になる。
【００４５】
上記で示したように、受信信号をデジタル変換のみで伝送する場合、１０Ｍｓｐｓ以上の伝送速度が要求されるのに対し、デジタル信号を復調して伝送すると、最大３．８４Ｍｓｐｓの速度が要求され、伝送速度が落ちることを確認することができる。
【００４６】
しかし、この場合、ＷＣＤＭＡの復調に長い時間が所要される短所がある。
【００４７】
拡散係数２５６を用いる場合、逆拡散のために２５６個のチップが必要であり、２５６個のチップを受信するのに必要な時間は、１／３．８４Ｍｃｐｓ×２５６＝６６．６７ｕｓである。
【００４８】
この時間を短くするためには、低い拡散係数を用いればよい。
【００４９】
２５６個のチャンネルが拡散係数２５６で拡散され、加えられた形態の信号において、拡散係数４を利用し逆拡散すると、６４個のチャンネルが加えられた形態の４個のチャンネルグループが求められる。この場合、伝送速度は、上記と同様に、３．８４Ｍｓｐｓになる。しかし、最大４個のチャンネルグループが存在するため、必要な復調器の個数は４個になる。
【００５０】
さらに、この場合、逆拡散過程で必要なチップは４個であり、チップを受信するのに必要な時間は１／３．８４Ｍｃｐｓ×４＝１．０４ｕｓになる。
【００５１】
上記のように、低い拡散係数を用いて復調すると、各チャンネルデータの代わりにチャンネルグループデータが求められ、復調に必要な時間と復調器の個数を減らすことができる。
【００５２】
従って、デジタル復調部（３１５、３３５）においては、デジタル変換部（３１４、３３４）において変換されたデジタル信号をチャンネルグループデータに復調し、これを送受信部（３１６、３３６）を通じて伝送する。また、デジタル変調部（３１７、３３７）は、送受信部（３１６、３３６）において受信されたデジタルグループデータをデジタル変換部（３１４、３３４）において用いた拡散係数と同一の拡散係数で変調し、原信号を再生する。
【００５３】
拡散係数２５６で拡散された入力信号を復調するとき、用いる拡散係数による逆拡散に必要なチップを受信するのに所要される時間及び必要な復調器の数を下記表１に示した。
【００５４】
【表１】
2011082948.tif 000003
【００５５】
実施例として、本発明のデジタルデータ復調技術をＷＣＤＭＡシステムにおいて用いる場合、下記表２で示したように、帯域幅の減少を確認することができる。単純にデジタル信号を復調するだけでも２３．２％の帯域幅の減少効果を得ることができる。さらに、復調過程においてデータビット（ｄａｔａ  ｂｉｔ）を減らす場合、４８．８％の帯域幅の減少効果を得ることができる。ここで、データビットは、スペックにより調節することができる。本発明の効果である帯域幅の減少は、変調の方式及び信号処理の方式により変わる可能性がある。
【００５６】
【表２】
2011082948.tif 000004
【００５７】
図４は、本発明の実施例によるＷＣＤＭＡデジタル伝送中継器（３００、３００’）における下り信号の送受信と関連した動作過程を示すフロー図であり、図５は、本発明の実施例によるＷＣＤＭＡデジタル伝送中継器（３００、３００’）における上り信号の送受信と関連した動作過程を示すフロー図であり、以下、図４及び５を参照し、本発明の実施例によるＷＣＤＭＡデジタル伝送中継器（３００、３００’）の動作過程を説明する。
【００５８】
先ず、図４を参照し、デジタル伝送中継器（３００、３００’）の下り信号の送受信と関連した動作過程を検討すると、Ｓ４０１ステップで、ドナーユニット（３１０）は、基地局から下り信号を受信する。本発明の一実施例において、ドナーユニット（３１０）は、ドナーアンテナ（３１１）を利用し、下り信号を受信することもでき、他の実施例においては、受信アンテナ（３２１）を利用し、下り信号を受信することもできる。さらに、ドナーユニット（３１０）は、基地局と有線で接続して下り信号を受信することもできる。
【００５９】
Ｓ４０２ステップで、受信された下り信号は、下り変換部（３１３）において低周波信号に変換され、Ｓ４０３ステップで、変換された低周波信号は、デジタル変換部（３１４）においてデジタル信号に変換される。
【００６０】
その後、Ｓ４０４ステップで、デジタル復調部（３１５）においてデジタル信号をデジタルデータに復調し、Ｓ４０５ステップで、デジタルデータは、送受信部（３１６）からリモートユニット（３３０）に送信される。
【００６１】
本発明においては、デジタル復調部（３１５）を利用し、デジタル信号をデジタルデータに復調することにより、受信信号に含まれているデジタルデータを抽出してデータのサイズを縮小させることができ、サイズが縮小したデジタルデータをドナーユニット（３１０）からリモートユニット（３３０）に送信するので、伝送に要する帯域幅を減らし、伝送効率を上げることができる。
【００６２】
Ｓ４０６ステップで、リモートユニット（３３０）の送受信部（３３６）は、ドナーユニット（３１０）からデジタルデータを受信し、Ｓ４０７ステップで、受信されたデジタルデータは、デジタル変調部（３３７）においてデジタル信号に変調される。
【００６３】
Ｓ４０８ステップで、変調されたデジタル信号は、アナログ変換部（３３８）においてアナログ信号に変換され、Ｓ４０９ステップで、変換されたアナログ信号は、上り変換部（３３９）において高周波信号に変換され、Ｓ４１０ステップで、端末機に送出される。本発明の一実施例において、リモートユニット（３３０）は、リモートアンテナ（３３１）を利用し、下り信号を送出することもでき、他の実施例において、リモートユニット（３３０）は、送信アンテナ（３４２）を利用し、下り信号を送出することもできる。
【００６４】
上り信号も下り信号と類似した過程を経るが、図５を参照し、デジタル伝送中継器（３００、３００’）の上り信号の送受信と関連した動作過程を検討すると、Ｓ５０１ステップで、リモートユニット（３３０）は、端末機から上り信号を受信する。本発明の一実施例において、リモートユニット（３３０）は、リモートアンテナ（３３１）を利用し、上り信号を受信することもでき、他の実施例においては、受信アンテナ（３４１）を利用し、上り信号を受信することもできる。
【００６５】
Ｓ５０２ステップで、受信された上り信号は、下り変換部（３３３）において低周波信号に変換され、Ｓ５０３ステップで、変換された低周波信号は、デジタル変換部（３３４）においてデジタル信号に変換される。
【００６６】
その後、Ｓ５０４ステップで、デジタル信号は、デジタル復調部（３３５）においてデジタルデータに復調され、Ｓ５０５ステップで、送受信部（３３６）からドナーユニット（３１０）に送信される。
【００６７】
本発明においては、デジタル復調部（３３５）を利用し、デジタル信号をデジタルデータに復調することにより、受信信号に含まれているデジタルデータを抽出し、データのサイズを減少することができ、データのサイズが減少したデジタルデータをリモートユニット（３３０）からドナーユニット（３１０）に送信するので、伝送に要する帯域幅を減らし、伝送効率を高めることができる。
【００６８】
Ｓ５０６ステップで、ドナーユニット（３１０）の送受信部（３１６）は、リモートユニット（３３０）からデジタルデータを受信し、Ｓ５０７ステップで、受信されたデジタルデータは、デジタル変調部（３１７）においてデジタル信号に変調される。
【００６９】
Ｓ５０８ステップで、変調されたデジタル信号は、アナログ変換部（３１８）においてアナログ信号に変換され、Ｓ５０９ステップで、変換されたアナログ信号は、上り変換部（３１９）において高周波信号に変換され、Ｓ５１０ステップで、基地局に送出される。本発明の一実施例において、ドナーユニット（３１０）は、ドナーアンテナ（３１１）を利用し、上り信号を送出することもでき、他の実施例において、ドナーユニット（３１０）は、送信アンテナ（３２２）を利用し、上り信号を送出することもできる。さらに、ドナーユニット（３１０）は、基地局と有線で接続して上り信号を送出することもできる。
【００７０】
上記実施例においては、１つのドナーユニットと１つのリモートユニットで構成されたシステムを想定して説明しているが、本発明はこれに限られるものではなく、１つのドナーユニットと複数のリモートユニットで構成されたシステムにも多様に適用することができる。また、本発明は、１つのドナーユニットと複数のリモートユニットが階段式に接続されるように構成されるシステムにも適用することができる。
【００７１】
図６は、１つのドナーユニットと複数のリモートユニットで構成されたＷＣＤＭＡデジタル伝送中継器を示す。デジタル伝送中継器（６００）は、ドナーユニット（６０１）と複数のリモートユニット（６０２ａ、６０２ｂ、６０２ｃ〜６０２ｎ）を含むことができる。ドナーユニット（６０１）は、複数のリモートユニット（６０２ａ、６０２ｂ、６０２ｃ〜６０２ｎ）のそれぞれに接続することができる。このような接続を利用し、基地局から受信した下り信号を複数のリモートユニット（６０２ａ、６０２ｂ、６０２ｃ〜６０２ｎ）を通じて多数の端末機に送信することができる。また、複数のリモートユニット（６０２ａ、６０２ｂ、６０２ｃ〜６０２ｎ）がそれぞれ受信した上り信号をドナーユニット（６０１）に送信し、ドナーユニット（６０１）は、これを基地局に送信することができる。
【００７２】
図７は、１つのドナーユニットと複数のリモートユニットが階段式に接続されるように構成されるＷＣＤＭＡデジタル伝送中継器を示す。デジタル伝送中継器（７００）は、ドナーユニット（７０１）と複数のリモートユニット（７０２ａ、７０２ｂ、７０２ｃ〜７０２ｎ）を含むことができる。ドナーユニット（７０１）は、複数のリモートユニット（７０２ａ、７０２ｂ、７０２ｃ〜７０２ｎ）に階段式に接続されることができる。ドナーユニット（７０１）が複数のリモートユニット（７０２ａ、７０２ｂ、７０２ｃ〜７０２ｎ）に階段式に接続されるということは、ドナーユニット（７０１）が１つのリモートユニット（７０２ａ）と接続し、リモートユニット（７０２ａ）は、他のリモートユニット（７０２ｂ）と接続し、リモートユニット（７０２ｂ）は、他のリモートユニット（７０２ｃ）と接続する方式で接続されることをいい、図７に、１つのドナーユニット（７０１）と複数のリモートユニット（７０２ａ、７０２ｂ、７０２ｃ〜７０２ｎ）が階段式に接続された実施例が図示されている。
【００７３】
このような階段式の接続を利用し、基地局から受信した下り信号を複数のリモートユニット（７０２ａ、７０２ｂ、７０２ｃ〜７０２ｎ）を通じて多数の端末機に送信することができる。即ち、ドナーユニット（７０１）は、リモートユニット（７０２ａ）に全ての下り信号を送信することができ、リモートユニット（７０２ａ）は、リモートユニット（７０２ａ）が端末機に送信する下り信号を除いた残りの下り信号をリモートユニット（７０２ｂ）に伝達することができる。リモートユニット（７０２ｂ）は、リモートユニット（７０２ｂ）が端末機に送信する下り信号を除いた残りの下り信号をリモートユニット（７０２ｃ）に伝達することができる。このような方式で、端末機に送信される下り信号は、最後のリモートユニット（７０２ｎ）まで伝達され、リモートユニット（７０２ｎ）は、リモートユニット（７０２ｎ）が端末機に送信する下り信号を送信することができる。
【００７４】
さらに、階段式の接続を利用し、複数のリモートユニット（７０２ａ、７０２ｂ、７０２ｃ〜７０２ｎ）がそれぞれ受信した上り信号を１つのドナーユニット（７０１）に送信し、ドナーユニット（７０１）は、これを基地局に送信することができる。リモートユニット（７０２ｎ）は、受信した上り信号をリモートユニット（７０２ｍ）に伝達することができる。リモートユニット（７０２ｍ）は、受信した上り信号をリモートユニット（７０２ｎ）から伝達された上り信号とともにリモートユニット（７０２ｌ）に伝達することができる。このような方式で、基地局に送信される全ての上り信号は、リモートユニット（７０２ａ）において収集され、ドナーユニット（７０１）に送信することができる。
【００７５】
階段式の接続を用いる場合、ドナーユニットの複雑度を下げることができる長所がある。１つのドナーユニットに複数のリモートユニットを接続する場合、ドナーユニットの送受信部は、複数のリモートユニットと１：１の接続を支援するために、リモートユニットの数だけ（例えば、図６のドナーユニット（６０１）の場合は、ｎ個）の送受信ポートを有さなければならない。従って、リモートユニットの数が増える場合、ドナーユニットの送受信部の設計に不利な点が生じる。この点を解決するために、リモートユニットを階段式に接続することが可能であり、これは、図７に示されている。即ち、階段式の接続である場合、ドナーユニットは、１つのリモートユニットと接続されるため、送受信部の複雑度が上がらないという長所がある。
【００７６】
本発明の他の実施例として、デジタル伝送中継器は、１つのドナーユニットと複数のリモートユニット間のデータの送受信を処理する分配ユニットをさらに含むこともできる。図８は、１つのドナーユニットと複数のリモートユニット間のデータの送受信を処理する分配ユニットをさらに含むＷＣＤＭＡデジタル伝送中継器を示す。デジタル伝送中継器（８００）は、ドナーユニット（８０１）、複数のリモートユニット（８０２ａ、８０２ｂ、８０２ｃ〜８０２ｎ）及び分配ユニット（８０３）を含む。分配ユニット（８０３）は、１つのドナーユニット（８０１）と複数のリモートユニット（８０２ａ、８０２ｂ、８０２ｃ〜８０２ｎ）間のデータの送受信が効率的に成されるようにするためのものであって、ドナーユニット（８０１）において受信した下り信号を分配ユニット（８０３）を通じて複数のリモートユニット（８０２ａ、８０２ｂ、８０２ｃ〜８０２ｎ）に送信し、複数のリモートユニット（８０２ａ、８０２ｂ、８０２ｃ〜８０２ｎ）において受信した上り信号を分配ユニット（８０３）を通じてドナーユニット（８０１）に送信する。図８においては、１つのドナーユニットと１つの分配ユニットが接続され、１つの分配ユニットが複数のリモートユニットと接続される実施例が示されているが、これは、例示的な目的で示されただけで、これに制限されず、ドナーユニットは、複数の分配ユニットと接続されることもでき、分配ユニットは、複数のリモートユニットと接続することもできる。
【００７７】
分配ユニットを用いる場合、階段式の接続を用いる場合と同様に、ドナーユニットの送受信部の複雑度の増大を防止できるという長所がある。例えば、ドナーユニットに３２個のリモートユニットを接続しなければならない場合、ドナーユニットとリモートユニットの接続と関連し、ドナーユニットの送受信部に３２個のリモートユニットが接続されなければならない。これに対し、ドナーユニットに４個の分配ユニットを接続し、各中継ユニットに８個のリモートユニットを接続すると、同じ数のリモートユニットに接続することができるが、ドナーユニットの送受信部には、４個の中継ユニットが接続されればよく、各分配ユニットも８個のリモートユニットだけ接続すればよいので、送受信部の複雑度を下げることができる。
【００７８】
図６〜図８に関する説明において、複数のリモートユニットの数をｎと説明したが、これは、説明の簡略化のためのものであり、複数のリモートユニットの数は制限なく設計が可能である。
【００７９】
以上で説明したように、本発明によると、受信された下り信号と上り信号を復調して伝送し、これを再び変調することにより、ドナーユニットとリモートユニット間の伝送に要する帯域幅を減らすことができる。さらに、復調と変調に用いる拡散係数を調節することのより、復調に所要される時間を効果的に減らすことができる。
【００８０】
本発明は、特定の実施形態に関して詳しく記述されているが、この特定の実施形態は、本発明の例示として説明されたものであり、他の実施形態にも適用することができる。請求項の範囲から外れることなく多様な変形例、代替例、変更例、改良例などを行うことができ、同等の代替物などを採用することができるということは当業者にとって明らかである。
【符号の説明】
【００８１】
１０１：基地局    
１１０：伝送中継器
１１１：ドナーユニット   
１１２：リモートユニット
２００：従来のデジタル伝送中継器 
２１０：ドナーユニット
２２０：リモートユニット  
２１１：ドナーアンテナ
２２１：リモートアンテナ  
２１２、２２２：アンテナ共用器
２１３、２２３：下り変換部  
２１４、２２４：デジタル変換部
２１５、２２５：送受信部   
２１６、２２６：アナログ変換部
２１７、２２７：上り変換部
３００：本発明の実施例に記載のＷＣＤＭＡデジタル伝送中継器
３１０：ドナーユニット   
３３０：リモートユニット
３１１：ドナーアンテナ   
３３１：リモートアンテナ
３１２、３３２：アンテナ共用器  
３１３、３３３：下り変換部
３１４、３３４：デジタル変換部  
３１５、３３５：デジタル復調部
３１６、３３６：送受信部   
３１７、３３７：デジタル変調部
３１８、３３８：アナログ変換部  
３１９、３３９：上り変換部
３２１、３４１：受信アンテナ  
３２２、３４２：送信アンテナ
Ｓ４０１：下り信号を受信するステップ
Ｓ４０２：受信された下り信号を低周波信号に変換するステップ
Ｓ４０３：変換された低周波信号をデジタル信号に変換するステップ
Ｓ４０４：デジタル信号をデジタルデータに復調するステップ
Ｓ４０５：デジタル信号をリモートユニットに送信するステップ
Ｓ４０６：ドナーユニットからデジタルデータを受信するステップ
Ｓ４０７：受信されたデジタルデータをデジタル信号に変調するステップ
Ｓ４０８：デジタル信号をアナログ信号に変換するステップ
Ｓ４０９：アナログ信号を高周波信号に変換するステップ
Ｓ４１０：下り信号を送出するステップ
Ｓ５０１：上り信号を受信するステップ
Ｓ５０２：受信された上り信号を低周波信号に変換するステップ
Ｓ５０３：変換された低周波信号をデジタル信号に変換するステップ
Ｓ５０４：デジタル信号をデジタルデータに復調するステップ
Ｓ５０５：デジタルデータをドナーユニットに送信するステップ
Ｓ５０６：リモートユニットからデジタルデータを受信するステップ
Ｓ５０７：受信されたデジタルデータをデジタル信号に復調するステップ
Ｓ５０８：デジタル信号をアナログ信号に変換するステップ
Ｓ５０９：アナログ信号を高周波信号に変換するステップ
Ｓ５１０：上り信号を送出するステップ
６００：１つのドナーユニットと複数のリモートユニットで構成されたＷＣＤＭＡデジタル伝送中継器
６０１：ドナーユニット   
６０２：リモートユニット
７００：１つのドナーユニットと複数のリモートユニットが階段式に接続されるように構成されるＷＣＤＭＡデジタル伝送中継器
７０１：ドナーユニット   
７０２：リモートユニット
８００：１つのドナーユニットと複数のリモートユニット間のデータ送受信を処理する分配ユニットをさらに含むＷＣＤＭＡデジタル伝送中継器
８０１：ドナーユニット   
８０２：リモートユニット
８０３：分配ユニット
【図１】
2011082948.tif 000005
【図２】
2011082948.tif 000006
【図３ａ】
2011082948.tif 000007
【図３ｂ】
2011082948.tif 000008
【図４】
2011082948.tif 000009
【図５】
2011082948.tif 000010
【図６】
2011082948.tif 000011
【図７】
2011082948.tif 000012
【図８】
2011082948.tif 000013